(57)【要約】      （修正有）【課題】相対する垂直パネルに各々、ボックス、或いはボックスと水平パネルを相対する側と組み合わせ可能な位置に取り付けた形状のユニット式キャビネットにおいて、組み合わせた時にボックスと水平パネルにできる段差を無くすための段差解消パネルを提供する。【解決手段】上記の段差と同じ、或いは近いサイズの厚みで、幅方向に複数個に分割したパネルを段差解消パネル６とし、分割した段差解消パネルを段差幅に近いサイズに組み合わせ、ユニットの段差の低い部分に設置し段差を解消する様にして、ユニットキャビネット用段差解消パネルとする。【選択図】図１
0003174317.tif 000002
【実用新案登録請求の範囲】
【請求項１】
（１）相対する垂直パネルの相対する側と組み合わせ可能な位置に、各々ボックス、或いはボックスと水平パネルを取り付けたキャビネット、（２）或いは相対する垂直パネルに、各々水平パネルとボックス、又はボックスのみを取り付けたキャビネットの間にボックス、又はボックスと水平パネルを組み合わせた形式のユニット式キャビネットは組み合わせ時に（３）片側キャビネットの水平パネルが組み合わせ相手側ボックスの上に乗ることにより段差ができ、（４）その段差と同じ、或いは近いサイズの厚みで、幅方向に複数個に分割したパネルを段差解消パネルとし、（５）複数個に分割した段差解消パネルを段差部分の幅のサイズに近いサイズに組み合わせ、ユニットの段差の低い部分に設置し段差を解消可能とする方式のユニットキャビネット用段差解消パネル。
【考案の詳細な説明】
【技術分野】
【０００１】  本考案はユニット式キャビネット用パネルに関するものである。
【背景技術】
【０００２】  従来の多くのユニット式キャビネットは相対する、水平パネルとボックスの組み合わせ部に段差のある形状である。
【先行技術文献】
【０００３】
【非特許文献】
【非特許文献】  デイノスリビング２０１１年間保存版１２２号  Ｐ１６７
【考案の概要】
【考案が解決しようとする課題】
【０００４】  従来の多くのユニット式キャビネットは相対する垂直パネルに各々、ボックス、又はボックスと水平パネルを相対する側と組み合わせ可能な位置に取り付けたキャビネットを組み合わせた形状、或いは相対する垂直パネルに各々、水平パネルとボックス、又はボックスのみを取り付けたキャビネットの間にボックス、又はボックスと水平パネルを組み合わせた形状であり、組み合わせた時に片側キャビネットの水平パネルが組み合わせ相手ボックスの上に乗ることによってボックスと水平パネルに生じる段差が使用上の問題点であり、段差を無くすことを解決課題とする。
【課題を解決するための手段】
【０００５】  本考案は従来の問題点を解決するため、相対する垂直パネルに各々、ボックス、又はボックスと水平パネルを相対する側と組み合わせ可能な位置に取り付けたキャビネットを組み合わせた、或いは相対する垂直パネルに各々、水平パネルとボックス、又はボックスのみを取り付けたキャビネットの間にボックス、又はボックスと水平パネルを組み合わせたユニット式キャビネットの組み合わせ時に片側キャビネットの水平パネルが組み合わせ相手側ボックスの上に乗ることによってボックスと水平パネルとの間に生じる段差の高さと同じ、或いは近いサイズの厚みで、幅方向に複数個に分割したパネルを段差解消パネルとし、パネルを段差の幅の近いサイズに組み合わせ、ユニットの段差の低い部分に設置し、段差を解消する方式のユニットキャビネット用段差解消パネルにより課題を解決手段とするものである。
【考案の効果】
【０００６】  上記考案の段差解消パネルにより、ユニット式キャビネットの組み合わせ時に水平パネルが相手側ボックスの上に乗りボックスと水平パネルとにできる段差を段差と同じ、或いは近いサイズの厚みで、幅方向に複数個に分割したパネルを段差の幅に近いサイズに組み合わせ、ユニットの段差の低い部分に設置することにより段差が解消可能となる。更にユニットの幅を変更する時には段差解消パネルを増減し、組み合わせることにより幅変更に対応可能となる効果がある。
【図面の簡単な説明】
【０００７】
【図１】  段差解消パネルとユニット式キャビネット斜視図
【図２】  段差解消パネルをはめ込み済みユニット式キャビネット斜視図
【図３】  段差解消パネルはめ込み済みユニット複数式キャビネット斜視図
【図４】  段差解消パネルとユニット式キャビネット参考例斜視図
【図５】  段差解消パネルとユニット複式キャビネット例斜視図
【図６】  段差解消パネル付き延長前板ユニット式キャビネット例斜視図
【考案を実施するための最良の形態】
【０００８】  本考案は従来の問題点を解決するため、相対する垂直パネルに各々、ボックス、又はボックスと水平パネルを相対する側と組み合わせ可能な位置に取り付けたキャビネットを組み合わせた、或いは相対する垂直パネルに各々、水平パネルとボックス、又はボックスのみを取り付けたキャビネットの間にボックス、又はボックスと水平パネルを組み合わせたユニット式キャビネットを組み合わせた時に片側キャビネットの水平パネルが組み合わせ相手ボックスの上に乗ることによってボックスと水平パネルとに生じる段差と同じ、或いは近いサイズの厚みで、幅方向に複数個に分割したパネルを段差解消パネルとし、そのパネルを段差の幅の近いサイズに組み合わせ、ユニットの段差の低い部分に設置し段差を解消する方式のユニットキャビネット用段差解消パネを以下、図１〜図７を参照して実施するための最良の形態を説明する。
【実施例】
【０００９】  以下、添付図に従って実施例を説明する。図１は請求項１の段差解消パネル、及び段差解消パネルを組み込むユニットキャビネットの形状を説明する図である。片側のキャビネットと反対側のキャビネットを組み合わせ時に垂直板１に取り付けたボックス３の上に反対側ボックスの水平パネル２が乗ることにより段差５ができた状態の斜視図である。段差５を解消するため、段差５と同じ、或いは近いサイズの厚みのパネルをユニットキャビネットの幅変化に対応するために分割し、段差解消パネル６とした図である。段差解消パネル６を段差の幅に近い組み合わせをし、ボックス３のボックストップパネル４の上に矢印７の方向にはめ込みトップパネル全体をフラットにする過程の図である。尚、段差解消パネル６の幅方向の分割サイズ、分割数、固定方法は無限であり限定するものではない。【００１０】  図２は図１にて説明の段差解消パネル６を段差幅に合わせ組み合わせ片側ユニットボックス３のボックストップパネル４の上にはめ込み段差５を解消し、トップパネル全体をフラットとして使用上の問題点を解消したことを説明する参考斜視図である。尚、段差解消パネル６を組み合わせた時の段差解消パネルの接合方法は多種多様であり限定するものではない。又、図示の如くサイドパネル１の高さをボックス３のボックストップパネル４の面よりも高く設定する場合段差解消パネルを差し込み時にパネルを安易に固定でき、落下防止にもなり設定の有無は限定するものではない。【００１１】  図３は組み合わせの異なるユニット複数式キャビネット例の説明図である。垂直パネル１に水平パネル２、及びボックス３を取り付けキャビネットとしたものを左右に配し、左右の水平パネル２の下、ボックス３の上にセンターボックス９を設置したユニットキャビネットの説明図である。図示の如く、このユニットにおいても左右の水平パネル２とセンターボックス上に段差５ができ、その段差を段差解消パネル６によりフラットとし、使い易くした状態を説明する図である。【００１２】  図４は多様なボックス３を組み合わせたユニット式キャビネットの参考例斜視図である。図１〜３と同様に水平パネル２とボックス３に段差５ができ、トップパネルが全面フラットに使用可能でない問題点を希望寸法に組み合わせた段差解消パネル６を矢印７の方向にはめ込みフラットにする過程を説明する図である。図示の如くボックスの使途、形状はオープンラックタイプ、収納庫タイプ、チェストタイプ等、多種多様であり限定するものではない。【００１３】  図５は相対する垂直パネル１に各々、ボックス３を取り付けたキャビネットの間にセンターボックス９とセンターパネル１０を組み合わせた形状のユニット複式キャビネットの参考例斜視図である。図示の如くセンターパネル１０は組み合わせ時に相手側ボックス３のトップパネル４の上に乗ることによってボックスのトップパネル４とセンターパネル１０に生じる段差５と同じ、或いは近いサイズの厚みで、幅方向に複数個に分割したパネルを段差解消パネル６とし、段差解消パネルを段差の幅の近いサイズに組み合わせ、ユニットの段差５の低い部分に矢印方向７に設置し段差を解消するユニットキャビネットの参考例図である。【００１４】  図６は図２にて説明のボックス３の上に段差解消パネル６をはめ込みトップパネル全体をフラットにしたユニット式キャビネットのボックス３に水平パネル２、及び段差解消パネル６に近い高さに延長した扉、或いは前板を取り付けることにより、水平パネル２、段差解消パネル６、及びサイドパネル１との接合部分が正面より見えなくなり、より外観がよくなる段差解消パネルを応用したユニット式キャビネットの例を説明する斜視図である。
【符号の説明】
【００１５】  １  垂直パネル
２  水平パネル
３  ボックス
４  ボックストップパネル
５  段差
６  段差解消パネル
７  段差解消パネル挿入方向矢印
８  フロントパネル
９  センターボックス
１０  センターパネル
【図１】
0003174317.tif 000003
【図２】
0003174317.tif 000004
【図３】
0003174317.tif 000005
【図４】
0003174317.tif 000006
【図５】
0003174317.tif 000007
【図６】
0003174317.tif 000008